(57)【要約】【課題】寝具をカバーし他の生活用具として、中身の出し入れが容易で型崩れがなく湿気放散性のよいオットマンとして使用できるようにする。【解決手段】布団カバー兼用オットマンカバーを、略箱形で下方が開放されていて収納物１の上部を覆う上カバー部１１と、上カバー部１１の下縁に取り付けられ収納物１の側面を覆う伸縮性のあるネット状の側面通気部１２と、側面通気部１２の下部付近に取り付けられ収納物１の側面に締めつけて固定する弾力性のあるネット縁固定部１５と、カバー部１１の下縁に取り付けられ、側面通気部１２の外側を非密着状態で覆い、少なくとも下部が開放されているスカート部１３で構成する。収納物１の下側に簀の子状の台座２０を含み、台座２０の周囲をネット縁固定部１５で締めつける。ネット縁固定部１５には、環状のゴム帯を内蔵する。【選択図】        図１
2005058264.tif 000002
【特許請求の範囲】
【請求項１】
略箱形で、包み込むべき収納物の上側から覆うために下方が開放されている上カバー部と、
前記上カバー部の下部周縁に取り付けられ、筒状で前記収納物の側面を覆う伸縮性のあるネット状の側面通気部と、
前記側面通気部の下部付近に取り付けられ、周囲から締めつけて前記収納物の側面に前記側面通気部の下部を固定させるための弾力性のあるネット縁固定部と、
前記上カバー部の下部周縁に取り付けられ、前記側面通気部の外側を非密着状態で覆い、少なくとも下部が開放されているスカート部と、を含む布団カバー兼用オットマンカバー。
【請求項２】
請求項１に記載の布団カバー兼用オットマンカバーによって、マットレスを最下部に含む前記収納物を包み込んで形成したオットマン。
【請求項３】
請求項２に記載のオットマンにおいて、
前記収納物は、前記マットレスの下側に配置する簀の子状の台座を含み、
前記ネット縁固定部は、前記台座の周囲を締めつけることができるように弾性素材を環状に形成して内蔵するネット縁固定部であることを特徴とするオットマン。
【請求項４】
請求項３に記載のオットマンおいて、
前記台座は、長手方向に伸縮が可能であり、かつ、伸ばした形で半固定することができる台座であることを特徴とするオットマン。
【請求項５】
請求項４に記載のオットマンにおいて、
前記台座は、延びた形の長手方向の中央部で略直角に折り曲げることが可能であり、かつ、折り曲げた形で半固定することができる台座であることを特徴とするオットマン。
【発明の詳細な説明】
【０００１】
【発明の属する技術分野】
本発明は、背もたれのない腰掛けや足台として利用されるオットマンに関し、特に、マットレスや布団類の寝具を、体裁よく収納することができるような布団カバー兼用オットマンカバー及びオットマンに関するものである。
【０００２】
【従来の技術】
従来、独身者や単身赴任者などは、寝起きと食事、さらに友人を迎えての歓談などを、１Ｋや１ＤＫのワンルームの狭い部屋で、好むと好まないとにかかわらず、多様な生活スタイルを切り換えて生活しなくてはならない状況にあった。
特に、夜に寝室と使用していた部屋を、昼間に居間として使うには、寝具類の置き場所に困ることが多かった。
また、寝具にはベットではなく、布団が使用されている場合が多いが、布団は通常は夏布団と冬布団が季節によって使い分けられていた。
【０００３】
しかし、夏用と冬用の布団を一度に収容すると、これらの布団が押し入れのスペースの大半を占め、衣服などの収納スペースが確保できなくなる。
そこで、このような問題を解決するものとして、例えば、「布団を収容してソファーを形成するための収納カバー及び収納カバーに布団を収納して形成したソファー」などの発明が提案されている。
この発明は、狭い部屋で生活をする場合に、普段使わない季節外の布団や日中使わない布団を部屋内で収容する他の生活用具に転用可能にすることにより、押し入れに収容する必要性をなくし、押し入れ内に衣類などの収容スペースを十分に確保できるようにするものである（特許文献１参照）。
【０００４】
【特許文献１】
特許第２７９６９４８号
【０００５】
【発明が解決しようとする課題】
前述の提案は、狭い部屋で生活をする場合に、普段使わない季節外の布団や日中使わない布団を部屋内で収容して他の生活用具に転用するものであるが、この転用すべき生活用具として、背もたれのある一般的なソファーを選んでいる。
他に類似の提案もみられるが、それらはすべて背もたれのあるソファーに転用するものである。
【０００６】
この種の収納カバーは、中に入れようとするのが、寝具であるので、出し入れが容易である他、寝具使用中に身体から吸収した湿気の放出が容易であること、また、転用すべき生活用具の目的に適し型崩れを起こさないこと、などが要求される。
ところが、このように転用すべき生活用具として、背もたれ付きのソファーを選択すると、収容物である中身が柔らかい布団類であるので、ソファーとしての使用時に、型崩れを起こしやすいという問題が発生する。
【０００７】
特に背もたれの部分は、体のもたれ掛かりや、手で押される機会も多く、水平方向に力が掛かりやすい。この外力は、中身同士、あるいは中身とカバーの間にずれを起こし、容易にソファーの外形を崩してしまう。
そこで、これらの型崩れを少なくするために、布団類の要所を部分的に緊締バンドで結束して固定したり、背もたれ部分とソファーの平らな部分とのつなぎ目のずれを無くすために特別な工夫を加えたりしている。そのため、構造が複雑になり、寝具などの収納物の湿気放散効果も低くなるばかりでなく、中身物の収納作業や、取り出し作業が煩雑になるという欠点が生じる。
【０００８】
一方、安楽椅子や、ソファーに座ったときの足休めとして使用されるオットマンは、略直方体の単純な形であり、構成が容易で、寝具収納具とは異なる他の目的の家具の一つとして適当である。
特に、子供の居る家庭では、子供の遊び場として、又、おむつの交換するための台にも適当である。さらに、天板一枚を用意しておけば、大勢の来客時には、子供用のリビングテーブル（あるいはサブテーブル）に早変わりさせることもできる。
しかも、このような用途には、ソファーのような背もたれは無いほうがよい。
しかし、現在においては、寝具カバーとオットマンカバーを兼ねるような提案は
未だ見当たらない。
【０００９】
本発明の課題は、仕舞うところの無い寝具をカバーで覆い、他の生活用具として転用しようとする対象物として、構造、使用上に難点が多く、製品化し難い背もたれ付きのソファーではなく、オットマンを選択して上記の問題を解決し、寝具の出し入れの作業が容易で、使用中に型崩れの恐れなく、しかも収納物の湿気放散性能が高く、体裁もよい布団カバー兼用オットマンカバー及びオットマンを提供することである。
【００１０】
【課題を解決するための手段】
前記課題を解決するために、請求項１の発明は、略箱形で、包み込むべき収納物（１）の上側から覆うために下方が開放されている上カバー部（１１）と、前記上カバー部（１１）の下部周縁に取り付けられ、筒状で前記収納物の側面を覆う伸縮性のあるネット状の側面通気部（１２）と、前記側面通気部（１２）の下部付近に取り付けられ、周囲から締めつけて前記収納物（１）の側面に前記側面通気部（１２）の下部を固定させるための弾力性のあるネット縁固定部（１５）と、前記上カバー部（１１）の下部周縁に取り付けられ、前記側面通気部（１２）の外側を非密着状態で覆い、少なくとも下部が開放されているスカート部（１３）と、を含む布団カバー兼用オットマンカバーある。
【００１１】
請求項２の発明は、請求項１に記載の布団カバー兼用オットマンカバー（１０）によって、マットレス（１ａ）を最下部に含む前記収納物（１）を包み込んで形成したオットマンである。
【００１２】
請求項３の発明は、請求項２に記載のオットマンにおいて、前記収納物（１）は、前記マットレス（１ａ）の下側に配置する簀の子状の台座（２０）を含み、前記ネット縁固定部（１５）は、前記台座（２０）の周囲を締めつけることができるように弾性素材を環状に形成して内蔵するネット縁固定部であることを特徴とするオットマンである。
【００１３】
請求項４の発明は、請求項３に記載のオットマンおいて、前記台座（２０）は、長手方向に伸縮が可能であり、かつ、伸ばした形で半固定することができる台座であることを特徴とするオットマンである。
【００１４】
請求項５の発明は、請求項４に記載のオットマンにおいて、前記台座（２０）は、伸ばした形の長手方向の中央部で略直角に折り曲げることが可能であり、かつ、折り曲げた形で半固定することができる台座であることを特徴とするオットマンである。
【００１５】
【発明の実施の形態】
以下、図面等を参照して、本発明の実施の形態について、さらに詳しく説明する。
図１は、本発明のオットマンの実施形態の構成例を、分解して示した斜視図である。
図１において、布団カバー兼用オットマンカバー（以下、カバーという。）１０は、包み込むべき収納物（寝具類）１の外側をオットマン形状に整えて覆うためのものである。
【００１６】
カバー１０は、上カバー部１１と、上カバー部１１の下側に続く側面通気部１２と、側面通気部１２の外側を覆うスカート部１３とによって構成される。
側面通気部１２の上部とスカート部１３の上部は、上カバー部１１の下部に重ね、カバー上下縫合部１４によって接続されている。
収納物１は、通常、マットレス１ａ（形状を維持するのに適するもの、例えば、ポリエステル固綿敷布団）と、敷布団１ｂ（例えば、ポリエステル中芯固綿ポリエステル敷布団）と、掛け布団類１ｃ（例えば、冬季に使用する毛布、あるいは夏季に使用するタオルケットなど）が含まれる。
マットレス１ａ及び敷布団１ｂは、敷布団として個別に使用できるものを用い、敷くときに重ねて、シングルで使ってもよいし、また、重ねないでツインで使ってもよい。
２０は、カバーに覆われた収納物１が、直接床面に触れないようにスペースをもって支える台座である。
【００１７】
図２は、図１のオットマンの外観を示す斜視図である。
図３は、図１のオットマンのスカート部１３を除去して、内側の側面通気部１２が見えるようにして示した説明図（斜視図）である。
図４は、オットマンの置き場所の一例を示す説明図（斜視図）である。ただし、オットマンのカバー１０ａは、スカート部１３ａの体裁が図２の１３とは異なるものを示す。
図５は、さらにカバーが異なる例について示したオットマンの斜視図である。
図２や図４のオットマンとは、カバー１０ｂの上カバー部１１ａ及びスカート部１３ｂの体裁が異なっている。
【００１８】
オットマンを形成するカバーの表面となる部分は、上カバー部１１とスカート部１３である。
上カバー部１１は、オットマンの略中央より上半分の形状を維持するため、厚手の布を使用して箱型に成形してある。スカート部１３、１３ａ、１３ｂは、デザインの都合上、略中央より下半分に付けられるものである。
スカート部それぞれの形式については、図１（図２）のスカート部１３が、テイラードスカートであり、図４のスカート部１３ａが、プリーツスカートであり、図５のスカート部１３ｂが、ギャザースカートである。なお、図５の上カバー部１１ａは、飾り模様の凹凸を兼ねて上面を補強したものである。
【００１９】
側面通気部１２は、オットマンの中身となる収納物（布団）１を包み、良好な通気性を保ちながら、カバー１０、１０ａ、１０ｂ等を台座２０と一体化させるための内側の部分であり、素材として伸縮性のあるメッシュ生地を使用し、ネット状の筒に形成されている。また、その下部には、弾力性の強い環状のゴムを内蔵するネット縁固定部１５が取り付けられている。
ネット縁固定部１５は、特に図示はしないが、内蔵ゴムが劣化した場合に、容易に交換できる形状にしてある。
【００２０】
オットマンの脚部となる台座２０は、簀の子状にして通気性を良くし、湿気が籠もるのを防いでいる。
図６は、台座２０の平面図である。
図７は、図６のＡ−Ａにおいて切断した断面図である。
図８は、図６のＢ−Ｂにおいて切断した断面図である。
図６〜図８に示すように、台座２０は、台座２０の長手方向に互いにスライド可能な二つの部分から成り立っている。
【００２１】
その一つの部分を構成する部材は、縦材２１ａ、２１ｂ及び横板２２ａ、２２ｂ〜２２ｆである。他の部分を構成する部材は、縦材２３ａ、２３ｂ及び横板２４ａ、２４ｂ〜２４ｅと、台座の形状を一時固定するための板（以下、ロック板という。）２５ａ、２５ｂである。
横板２２ａ、２２ｂ〜２２ｆは、それぞれ自身の幅より僅かに広い間隔で、一対の縦材２１ａ、２１ｂの間を繋ぐように簀の子状に配置されている。
横板２４ａ、２４ｂ〜２４ｅは、それぞれ自身の幅より僅かに広い間隔で、一対の縦材２３ａ、２３ｂの間を繋ぐように簀の子状に配置されている。
【００２２】
台座２０の四隅の裏側（縦材２１ａと２３ａの裏側）に取り付けられている足２７ａ、２７ａ、２７ａ、２７ａは、偏平円筒形であり、これらに対抗する位置に取り付けられている足２７ｂ、２７ｂ、２７ｂ、２７ｂは、偏平な半円筒形である。
図６のように、台座２０が長手方向に伸ばしきった場合には、縦材２１ｂと２３ｂが平行して並び接するので、足２７ｂと２７ｂの欠けた部分が補い合って、偏平円筒形の一つの足として形成されるようになっている。
【００２３】
縦材２１ｂは、縦材２３ａと２３ｂの間にあり、縦材２３ｂは、縦材２１ａと２１ｂの間にある。
また、横板２２ａ、２２ｂ〜２２ｆのそれぞれの間には、横板２４ａ、２４ｂ〜２４ｅが割り込む形に構成されている。
ロック板２５ａは、兆番２６ａ、２６ａで横板２４ａに、ロック板２５ｂは、兆番２６ｂ、２６ｂで横板２４ｅに、それぞれ１８０度回転自在に結合されている。
【００２４】
図７の図中の矢印は、ロック板２５ａ及び２５ｂが図６の状態から１８０度回転できる方向を示し、二点鎖線は、１８０度回転した後の位置を示している。
図６の状態では、ロック板２５ａの縦材２３ｂ側の端部が、横材２２ａの縦材２１ｂ側の端部に、ロック板２５ｂの縦材２３ｂ側の端部が、横材２２ｆの縦材２１ｂ側の端部に、それぞれ当接している。この状態は、台座２０は最伸長状態を維持し、ロック状態にある。したがって、不用意な外力が加えられても台座２０は、縮小することは無い。
【００２５】
図９は、縮小した状態の台座２０を示す平面図である。
図１０は、図９のＣ−Ｃにおいて切断した断面図である。
図１１は、図６の状態から図９の状態に至る途中の状態を、台座２０の裏側から見て示した背面図である。
図６の状態から台座２０を縮小させる場合は、図７の図中の二点鎖線で示す位置に、ロック板２５ａと２５ｂを１８０度回転させる。こうすることによって、ロック板２５ａと横材２２ａの端部同士、及び、ロック板２５ｂと横材２２ｆの端部同士の当接がなくなり、ロック状態は解除される。
その後、縦材２１ａと縦材２３ａの外側から押すことによって、図１１の状態を経て図９の状態にすることができる。
図９の縮小状態から台座２０を拡張させる場合は、以上の逆の操作を行えばよい。
【００２６】
図１２は、図４のオットマンから、内部に収容されていた寝具を取り出して、寝床として整えた状態の一例を示す説明図（斜視図）である。
図１２においては、台座２０は、自立できるように、長手方向の中央部付近で略直角に折り曲げ、敷布団の枕元に屏風のようにして立て、そこに、寝具から外したカバー１０を折り畳んで掛けてある。こうすることによって、室内インテリアを体裁よく纏めることができる。
【００２７】
図１３は、図１２の台座２０の一部を、カバー１０の無い状態で、拡大して示した説明図（斜視図）である。
図１３は、自立する台座２０の略直角に折り曲げた部分の上部付近を示している。図に示すように、折り曲げた部分を半固定状態に維持するために、ロック板２５ａが使用されている。
【００２８】
図６の状態から台座２０を図１３の状態にする場合は、先ず図７の矢印で示すようにロック板２５ａ及び２５ｂを１８０度回転し、ロック板２５ａを横板２４ａに、ロック板２５ｂを横板２４ｅに重ねる。
こうすると、台座２０の伸長のロックが解除され、この解除された二つの部分は、略直角に折り曲げることができる。この状態で、ロック板２５ａ及び２５ｂを再び逆に１８０度回転させると、台座全体の形状を、図１２に示す折り曲げ状態にロックすることができる。
【００２９】
このとき、図１３に示すように、ロック板２５ａは、その一方の端面が横板２２ａの表面に当たり、横板２２ａの裏面には縦部材２３ｂの内側面が当たっている。そこで、縦部材２３ｂの内側面と、ロック板２５ａの端面の間隔を、横板２２ａの厚さに略等しくしておけば、ぐらつくことなく、この状態を維持させることができる。
下側のロック板２５ｂについても同様で、縦部材２３ｂの内側面と、ロック板２５ｂの端面の間隔を、横板２２ｆの厚さに略等してあるので、ぐらつくことなく、その状態を維持させることができる。
【００３０】
（変形形態）
以上説明した実施形態に限定されることなく、種々の変形や変更が可能であって、それらも本発明の均等の範囲内である。
たとえば、上カバー部、側面通気部、ネット縁固定部、スカート部、台座等のそれぞれについても、その形状、体裁等には、種々の変形が考えられるが、本発明の主旨に沿うものであれば、いずれも本発明に含まれる。
【００３１】
【発明の効果】
以上詳しく説明したように、本発明によれば、仕舞うところの無い寝具を覆い隠すためにカバーで覆い、そのカバーを、上部の形を整える上カバー部、通気性を確保する側面通気部、側面通気部を固定するネット縁固定部、側面通気部の外側を非密着で覆うスカート部で構成し、寝具の下側に簀の子状の台座を配することにより、寝具カバーを他の生活用具として、寝具の出し入れが容易で、使用中に型崩れがなく、しかも体裁のよいオットマンを形成するカバーとして使用することができるという効果がある。
【図面の簡単な説明】
【図１】本発明のオットマンの実施形態を分解して示した斜視図である。
【図２】図１のオットマンの外観を示す斜視図である。
【図３】図１のオットマンのスカート部１３を除去して側面通気部１２が見えるようにした説明図（斜視図）である。
【図４】オットマンの置き場所の一例を示す説明図（斜視図）である。
【図５】オットマンの体裁が異なる例を示す斜視図である。
【図６】台座の一例を示す平面図である。
【図７】図６のＡ−Ａにおいて切断した断面図である。
【図８】図６のＢ−Ｂにおいて切断した断面図である。
【図９】縮小した状態の台座を示す平面図である。
【図１０】図９のＣ−Ｃにおいて切断した断面図である。
【図１１】図６の状態から図９の状態に至る途中の状態を示す背面図である。
【図１２】寝具を床面に整えた状態の一例を示す説明図（斜視図）である。
【図１３】図１２の台座の一部を拡大して示した説明図（斜視図）である。
【符号の説明】
１  収納物
１ａ  マットレス
１ｂ  敷布団
１ｃ  掛け布団類
１０  カバー
１１  上カバー部
１２  側面通気部
１３  スカート部
１４  カバー上下接続部
１５  ネット縁固定部
２０  台座
２１ａ、２１ｂ、２３ａ、２３ｂ  縦部材
２２ａ、２２ｂ・・・２２ｆ、２４ａ、２４ｂ・・・２４ｅ  横板
２５ａ、２５ｂ  ロック板
２６ａ、２６ｂ  兆番
２７ａ、２７ｂ  足
【図１】
2005058264.tif 000003
【図２】
2005058264.tif 000004
【図３】
2005058264.tif 000005
【図４】
2005058264.tif 000006
【図５】
2005058264.tif 000007
【図６】
2005058264.tif 000008
【図７】
2005058264.tif 000009
【図８】
2005058264.tif 000010
【図９】
2005058264.tif 000011
【図１０】
2005058264.tif 000012
【図１１】
2005058264.tif 000013
【図１２】
2005058264.tif 000014
【図１３】
2005058264.tif 000015